(57)【特許請求の範囲】
【請求項１】
収集物をロール状に圧縮梱包するベール室（１）後部を上方へ向け開放可能に構成するとともに該ベール室（１）から後方へ傾斜案内板（２）を延設し梱包されたベール（３）を排出案内するロールベーラにおいて、前後方向に延設される上下の案内杆（４），（５）とその前後両端を結ぶ前後の連結杆（６），（７）と後部上端に左右方向へ拡開するストッパー（８）とからなり側面視矩形状の起立案内装置（９）を傾斜案内板（２）に連設するとともに、該起立案内装置（９）を下部案内杆（５）を中心に所定角度左右回動可能に枢支し該起立案内装置（９）の左又は右側へ成形ベール（３）を起立案内可能に構成し、更にベール（３）を起立案内する側の機体後部には起立案内されるベール（３）外側面を受け止める規制体（１０）を設けてなるロールベーラのベール起立排出装置。
【発明の詳細な説明】
【０００１】
【発明の属する技術分野】
この発明は、牧草や排藁等を収集して梱包するロールベーラのベール排出装置に関するものである。
【０００２】
【従来の技術】
ロールベーラのベール排出装置にあっては、事後のベール運搬等その取扱いを容易にする為、又、隣接する収集列上へのベール排出を防止するために、機体幅内後方にベールを起立状態で排出することが望まれ、出願人は既に実公平５−２８９９９号に記載の技術を開発している。
【０００３】
【発明が解決しようとする課題】
上記の技術にあっては、排出されるベールを起立案内する一本の案内具が斜め後上方へ向けて起立する単純な構成の為、ベール室から落下排出されるベールの落下速度に起立案内作用が大きく影響され、不十分なものであった。
この発明は上記従来技術の欠点を解消し、ベール室から排出されるベールの落下速度等に影響されることなく排出ベールを円滑に案内して確実に起立させようとするものである。
【０００４】
【課題を解決するための手段】
収集物をロール状に圧縮梱包するベール室１後部を上方へ向け開放可能に構成するとともに該ベール室１から後方へ傾斜案内板２を延設し梱包されたベール３を排出案内するロールベーラにおいて、前後方向に延設される上下の案内杆４，５とその前後両端を結ぶ前後の連結杆６，７と後部上端に左右方向へ拡開するストッパー８とからなり側面視矩形状の起立案内装置９を傾斜案内板２に連設するとともに、該起立案内装置９を下部案内杆５を中心に所定角度左右回動可能に枢支し該起立案内装置９の左又は右側へ成形ベール３を起立案内可能に構成し、更にベール３を起立案内する側の機体後部には起立案内されるベール３外側面を受け止める規制体１０を設けてなるロールベーラのベール起立排出装置の構成とする。
【０００５】
【発明の作用及び効果】
まず、起立案内装置９をその下部案内杆５前部の枢支部を中心に左右に回動させ、排出されるベール３の左右方向中心位置から左側又は右側へ偏位して位置させ、ベール３の起立案内方向を該起立案内装置９の左側又は右側へ切替設定するとともに、その放出側に規制体１０を装着する。
ベール室１でロール状に圧縮梱包されるベール３の排出時には、該ベール室１後部を上方に向け開放するとベール３の重量とベール室１のベール成形コンベア３２の回転駆動力により傾斜案内板２上に水平状態で落下排出される。この落下排出速度は、収集対象物が例えばコンバインで刈取脱穀した後の排藁をドロッパー作業により放出する長藁の場合、又、排藁をカッターにより細断して放出される切断藁の場合や、乾燥率、品種等によるベール梱包密度や成形形状により大きく異なる。
【０００６】
本願発明にあっては、この落下速度の如何に係わらず、傾斜案内板２から起立案内装置９上に引継がれるベール３は、その中心より一側に偏位する部位を前後方向に延設される上部案内杆４により転動案内され機体の進行に伴って後方へ移動されながら順次起立し、更に垂直以上の起立作用はベール３下部が下部案内杆５へ接当して阻止されるとともに、その反動により跳ね返すが如く放出される。又、該起立案内装置９の後部上端に設けられた左右方向へ拡開するストッパー８によりベール３上部を放出方向に押し出す。従って、略垂直状に起立するベール３の上下部はこの放出力により対向位置する規制体１０側へ強制的に送出されるとともに、ベール３外側面が該規制体１０に接当案内され、ベール３を略該機体幅内所定の位置に確実に起立状態で放出することができるものである。
又、該起立案内装置９を下部案内杆５を中心に左右へ切替回動し、その対向位置に規制体１０を位置させる容易な操作で、ベール３の起立排出位置を機体の左又は右後方に変更することができる。
【０００７】
【発明の実施の形態】
次に、本発明の実施の形態を図面を参照しながら説明する。クローラ走行装置１１を装架した車台１２の前方にピックアップ２３を備え、その後方の車台１２上には固定機枠１３と可動機枠１４を搭載してその内部にベール室１を形成し、該ベール室１とピックアップ装置との間には搬入コンベア１５を設けてある。
車台２の左側には、前部に原動機１６を、中央部には油圧ポンプ１７や伝動機構１８を、後部には操作枠１９と椅子２０を設けてある。
２１はエンジンカバーであり、原動機１６の前方から操作枠１９の始端位置まで前面と上面及び外側面を覆うとともに、前端下部の支点軸２２を中心に前方へ１８０°回転させることにより原動機１６等を全面開放可能に構成してある。
ピックアップ装置２３は、左右方向に配設した複数の円弧状ドラム２４の各配列間隙から突出する掻上杆２５が軸２６の駆動回転により前方下方から上方後方へ向けて回転し、地上に散在する牧草や排藁等の収集物を上方へ掻上るものであり、この掻上げられた収集物は後方の搬入コンベア１５に引継がれベール室１内へ供給される。
【０００８】
搬入コンベア１５は、固定機枠１３の左右の前部延出部間に軸架される回転軸２７と固定機枠１３後端部両側板間に軸架される駆動軸２８との間に巻回され、ピックアップ装置２３から供給される収集物をベール室１へ搬入するとともに、その終端部は下部ベール形成コンベアとしての機能を有する。該搬入コンベア１５の具体構成は、各軸２７，２８両端のスプロケット２９，２９前後間に左右二条のチェン３０，３０を巻回し、該左右のチェン３０，３０間に複数のパイプ及び掻上板等を取着して構成してある。３１は押え杆であり、搬送中の収集物を上方から弾発付勢してある。
【０００９】
３２はベール成形コンベアであり、始端回転軸３３を搬入コンベア１５終端に接近して可動機枠１４前部下方の両側板間に軸架し、終端側の駆動軸３４を固定機枠１３の中央部両側板間に架設し、又、復帰側は上部の回転軸３５，３５と後部の移動調節用の回転軸３６に巻回してある。該ベール成形用コンベア３２の具体構成は、上記各軸両端のスプロケット３７，３７に巻回される左右二条のチェン３８，３８間に複数のパイプ３９，３９を横架して構成してある。
【００１０】
５８はベール成形室１の側板であり、円板を二分割して固定機枠１３と可動機枠１４の各側板に固着するとともに、その周面によりベール成形コンベア３２の左右のチェン３８，３８を案内する。４０は固定機枠１３と可動機枠１４との分割線であり、該可動機枠１４は前方側の回転軸３５を中心にベール成形コンベア３２とともに、該分割線４０を境に上方へ回動可能に構成してあり、この回動操作によりベール室１の後部を開放して成形後のベール３を後方へ排出する。
固定機枠１３の上部には、ベール室１へ梱包用の紐を供給する紐供給案内装置４１を横架してある。４２は前カバーであり、内側に紐ケース４３を一体に構成するとともに、固定機枠１３に設ける前方側の枢軸４４を中心に矢印イ方向、即ち機体前方上方へ回動可能に構成してある。又、該前カバー４２内側には、横架するピン４５に係合可能の係合凹部を形成する板バネ４６を取着し、該前カバー４２の回動を規制する。４７は紐ケース４３の開閉カバーである。
【００１１】
４８は上カバーであり、ベール成形用コンベア３２の復帰側上方を大きく覆うと共に可動機枠１４に設ける後方側の枢軸４９を中心に矢印ロ方向、即ち、機体後方上方へ向け回動可能に構成してある。又、該上カバー４８と前カバー４２の開放端は上カバー４８上に前カバー４２を重合させてある。ベール成形時、成形コンベア３２等に詰りを生じると、搬入される収集物が搬入コンベア１５から成形コンベア３２の復帰側によって持込まれ、該カバー４２，４８に向け強く圧送される。この押圧力によりピン４５と板バネ４６との係合力に打勝って、該上カバー４８と前カバー４２が夫々矢印イ，ロ方向へ回動され、この開放部から収集物を機外へ逃して機体の破損を防止するとともに、作業者に報知することができる。
【００１２】
従来装置にあっては、前カバー４２及び上カバー４８を収集物の詰り時の安全対策の為夫々独立して上方へ回動可能に構成していた為、例えば該ロールベーラをトラック等に搭載して運搬する際にロールベーラ前部の収集物搬入口５０からトラックの走行に伴う風が吹き込みその風圧により上カバー４８が押上げられて破損する場合があった。上記本発明の構成にあっては、上カバー４８の開放端上に前カバー４２を重合させてあり、該上カバー４２は紐ケース４３や紐の重量とストッパーピン４５と板バネ４６との係合により風圧程度では開放されることはない。
【００１３】
ベール室１の後部には成形後のベール３を排出案内する傾斜案内板２と、この排出されるベール３を機体の略走行幅内において起立案内可能の起立案内装置９と規制体１０を設けてある。
該起立案内装置９は、前後方向に延設される上下の案内杆４，５とその前後両端を結ぶ前後の連結杆６，７と後部上端に左右方向へ拡開するストッパー８とからなり側面視略矩形状に構成してある。下部案内体５は、その基部を傾斜案内板２の終端切欠部から内方に挿通し、保持部５１により回動自在に保持されるとともに、傾斜案内板２から左右に突出する係止ピン５２と前部連結杆６との接当により、その回動範囲を規制し、起立案内装置８の起立案内方向を左右に切替可能に構成してある。
【００１４】
又、下部案内杆５はその後端から上方に屈曲延設して後部連結杆７を一体に構成しその上端に上部案内杆４の後端を連結してある。後部連結杆７の上端には逆三角形状に左右方向に拡開するストッパー８を立設してある。
規制体１０は、機体の後部左右両端に設ける上下方向のボス部５３，５３にその基部を左右回動自在に挿通保持されるとともに、所定高さ位置から後方に向け屈曲延設し、更に上記起立案内装置９により案内起立されるベール３対応位置から下方に向け屈曲延設して、放出されるベール３を受け止めるべく構成してある。該規制体１０の基部にはアーム５４とその先端に下方に向け突出するピン５５を設け、又、機体側には二ケの係止孔５６，５６を有する係止板５７を設け、該規制体１０をボス部５３から引上げて回動させピン５５の係止位置を係止孔５６，５６に選択係合させることにより、該規制体１０を機体後方内方の格納位置と機体後方側部の作用位置とに切替固定可能に構成してある。
【００１５】
まず、起立案内装置９をその下部案内杆５前部の枢支部を中心に左右に回動させ、排出されるベール３の左右方向中心位置から左側又は右側へ偏位して位置させ、ベール３の起立案内方向を該起立案内装置９の左側又は右側へ切替設定するとともに、その放出側に規制体１０を装着する。
ベール室１でロール状に圧縮梱包されるベール３の排出時には、該ベール室１後部を上方に向け開放するとベール３の重量とベール室１のベール成形コンベア３２の回転駆動力により傾斜案内板２上に水平状態で落下排出される。この落下排出速度は、収集対象物が例えばコンバインで刈取脱穀した後の排藁をドロッパー作業により放出する長藁の場合、又、排藁をカッターにより細断して放出される切断藁の場合や、乾燥率、品種等によるベール梱包密度や成形形状により大きく異なる。
【００１６】
本願発明にあっては、この落下速度の如何に係わらず、傾斜案内板２から起立案内装置９上に引継がれるベール３は、その中心より一側に偏位する部位を前後方向に延設される上部案内杆４により転動案内され機体の進行に伴って後方へ移動されながら順次起立し、更に垂直以上の起立作用はベール３下部が下部案内杆５へ接当して阻止されるとともに、その反動により跳ね返すが如く放出される。又、該起立案内装置９の後部上端に設けられた左右方向へ拡開するストッパー８によりベール３上部を放出方向に押し出す。従って、略垂直状に起立するベール３の上下部はこの放出力により対向位置する規制体１０側へ強制的に送出されるとともに、ベール３外側面が該規制体１０に接当案内され、ベール３を略該機体幅内所定の位置に確実に起立状態で放出することができるものである。
又、該起立案内装置９を下部案内杆５を中心に左右へ切替回動し、その対向位置に規制体１０を位置させる容易な操作で、ベール３の起立排出位置を機体の左又は右後方に変更することができる。
【図面の簡単な説明】
【図１】側面図。
【図２】平面図。
【図３】背面図。
【図４】要部の斜視図。
【図５】側断面図。
【図６】カバー部分の断面図。
【符号の説明】
１    ベール室
２    傾斜案内板
３    ベール
４    上部案内杆
５    下部案内杆
６    前部連結杆
７    後部連結杆
８    ストッパー
９    起立案内装置
１０    規制体
【図１】
0003841166.tif 000002
【図２】
0003841166.tif 000003
【図３】
0003841166.tif 000004
【図４】
0003841166.tif 000005
【図５】
0003841166.tif 000006
【図６】
0003841166.tif 000007